(57)【要約】【課題】より簡便にマッチングを行うことのできるマッチングプログラム及びマッチング方法を提供する。【解決手段】  本発明に係るマッチングプログラムは、コンピュータに、複数のユーザーそれぞれに対し、ユーザー属性データを記録するステップ、複数のユーザーそれぞれに対し、複数の情報項目データを含む個人情報データの入力を促し、個人情報データを記録するステップ、マッチングを希望するユーザーであるマッチング希望ユーザーに対し、希望相手条件データの入力を促し、希望相手条件データを記録するステップ、希望相手条件データに基づき、検索結果データを表示するステップ、検索結果データに表示される該当ユーザーに対し、対話通信要求データを送信するステップ、該当ユーザーに対し、対話可否回答データの入力を促し、入力された対話可否回答データに応じて対話処理又は断り処理を行うステップ、を実行させるためのものである。【選択図】図１
2019046200.tif 000002
【特許請求の範囲】
【請求項１】
コンピュータに、
複数のユーザーそれぞれに対し、ユーザー属性データを記録するステップ、
複数の前記ユーザーそれぞれに対し、複数の情報項目データを含む個人情報データの入力を促し、前記個人情報データを記録するステップ、
マッチングを希望する前記ユーザーであるマッチング希望ユーザーに対し、希望相手条件データの入力を促し、前記希望相手条件データを記録するステップ、
前記希望相手条件データに基づき、検索結果データを表示するステップ、
前記検索結果データに表示される該当ユーザーに対し、対話通信要求データを送信するステップ、
前記該当ユーザーに対し、対話可否回答データの入力を促し、入力された対話可否回答データに応じて対話処理又は断り処理を行うステップ、を実行させるためのマッチングプログラム。
【請求項２】
前記対話処理において、計時処理を行い、所定の時間経過した場合に対話処理を終了する、請求項１記載のマッチングプログラム。
【請求項３】
前記希望相手条件データに基づき、検索結果データを表示するステップは、
オンライン状態にあるか否かのライン情報データを含む請求項１記載のマッチングプログラム。
【請求項４】
複数のユーザーそれぞれに対し、前記ユーザー属性データを記録するステップ、
複数の前記ユーザーそれぞれに対し、複数の情報項目データを含む個人情報データの入力を促し、前記個人情報データを記録するステップ、
マッチングを希望する前記ユーザーであるマッチング希望ユーザーに対し、希望相手条件データの入力を促し、前記希望相手条件データを記録するステップ、
前記希望相手条件データに基づき、検索結果データを表示するステップ、
前記検索結果データに表示される該当ユーザーに対し、対話通信要求データを送信するステップ、
前記該当ユーザーに対し、対話可否回答データの入力を促し、入力された対話可否回答データに応じて対話処理又は断り処理を行うステップ、を含むマッチング方法。
【請求項５】
前記対話処理において、計時処理を行い、所定の時間経過した場合に対話処理を終了する、請求項４記載のマッチング方法。
【請求項６】
前記希望相手条件データに基づき、検索結果データを表示するステップは、
オンライン状態にあるか否かのライン情報データを含む請求項４記載のマッチング方法。
【発明の詳細な説明】
【技術分野】
【０００１】
本発明は、マッチングプログラム及びマッチング方法に関する。
【背景技術】
【０００２】
人間の社会において、希望する条件を備えた人同士を結び付ける（マッチングさせる）ことは、就職や結婚等の例でも明らかなように、極めて重要なことである。
【０００３】
従前、このようなマッチングは、マッチング希望者が特定の仲介者を介して又は自身で調べてマッチング候補者を探し、実際に連絡を取り面談などを行いマッチングするか否かを確認し、うまくマッチングしなかった場合は改めて次のマッチング候補者を探していく、という手順をとるのが一般的であった。
【０００４】
一方で、近年のインターネットの発達によると、マッチング候補者が連絡先等の情報を掲載しておけば、遠方かつ仲介者を介さなくともマッチング候補者を検索すること、連絡を取ることが容易になってきている。
【０００５】
例えば、人材をマッチングさせる方法が、下記特許文献１に記載されている。
【先行技術文献】
【特許文献】
【０００６】
【特許文献１】特開２０１７−９７４９８号公報
【発明の概要】
【発明が解決しようとする課題】
【０００７】
しかしながら、上記特許文献１でも示す技術は、マッチング希望者とマッチング候補者の距離が所定の閾値以内にある場合初めて面談を可能とするものであり、上記インターネットの利点を十分に活用することができていない。
【０００８】
上記課題をより具体的に説明すると、マッチング希望者が相手に求める条件とマッチング候補者が相手に求める条件は、ある程度合致することはあるとしても、一回の出会いで互いに十分マッチングする相手に巡り合うことは実際稀である。更に、その相手がたまたま近くにいるということはさらに稀である。すなわち、実際に面談できる機会（回数）は極めて少なくなってしまうという課題が残る。
【０００９】
そこで、本発明は、上記課題に鑑み、より簡便にマッチングを行うことのできるマッチングプログラム及びマッチング方法を提供することを目的とする。
【課題を解決するための手段】
【００１０】
上記課題を解決する本発明の一観点に係るマッチングプログラムは、コンピュータに、複数のユーザーそれぞれに対し、ユーザー属性データの入力を促し、ユーザー属性データを記録するステップ、複数の前記ユーザーそれぞれに対し、複数の情報項目データを含む個人情報データの入力を促し、個人情報データを記録するステップ、マッチングを希望するユーザーであるマッチング希望ユーザーに対し、希望相手条件データの入力を促し、希望相手条件データを記録するステップ、希望相手条件データに基づき、検索結果データを表示するステップ、検索結果データに表示される該当ユーザーに対し、対話通信要求データを送信するステップ、該当ユーザーに対し、対話可否回答データの入力を促し、入力された対話可否回答データに応じて対話処理又は断り処理を行うステップ、を実行させるためのものである。
【００１１】
また、本発明の他の一観点に係るマッチング方法は、複数のユーザーそれぞれに対し、ユーザー属性データの入力を促し、ユーザー属性データを記録するステップ、複数のユーザーそれぞれに対し、複数の情報項目データを含む個人情報データの入力を促し、個人情報データを記録するステップ、マッチングを希望するユーザーであるマッチング希望ユーザーに対し、希望相手条件データの入力を促し、希望相手条件データを記録するステップ、希望相手条件データに基づき、検索結果データを表示するステップ、検索結果データに表示される該当ユーザーに対し、対話通信要求データを送信するステップ、該当ユーザーに対し、対話可否回答データの入力を促し、入力された対話可否回答データに応じて対話処理又は断り処理を行うステップ、を含むものである。
【発明の効果】
【００１２】
以上、本発明によって、より簡便にマッチングを行うことのできるマッチングプログラム及びマッチング方法を提供することができる。
【図面の簡単な説明】
【００１３】
【図１】実施形態に係るマッチング方法の処理の流れの例を示す図である。
【図２】実施形態に係るマッチング方法の処理を行うための情報処理装置の電気通信回線を通じた接続の概略を示す図である。
【図３】ユーザー属性データを入力する際の画面の一例を示す図である。
【図４】マッチング希望ユーザー側及びマッチング候補ユーザー側の個人情報入力画面の一例を示す図である。
【図５】企業情報入力画面の一例を示す図である。
【図６】希望条件入力画面の一例を示す図である。
【図７】希望条件入力画面の一例を示す図である。
【図８】検索結果表示画面の一例を示す図である。
【図９】検索の結果抽出された企業の情報を表示する画面の一例を示す図である。
【図１０】対話要求時における企業側の端末に表示される画面の一例を示す図である。
【図１１】対話後における企業側の端末に表示されるメール送信画面の一例を示す図である。
【図１２】対話後における企業側の端末に表示されるデータ入力画面の一例を示す図である。
【図１３】学生側の端末に表示される活動結果の画面の一例を示す図である。
【図１４】活動状況に関するまとめの画面の一例を示す図である。
【図１５】対話後における学生側の端末に表示されるメール送信画面の一例を示す図である。
【発明を実施するための最良の形態】
【００１４】
以下、本発明の実施形態について図面を用いて詳細に説明する。ただし、本発明は多くの異なる形態による実施が可能であり、以下に示す実施形態、実施例における具体的な例示にのみ限定されるわけではない。
【００１５】
図１に、本実施形態に係るマッチング方法（以下「本方法」という。）の処理の流れの例について示す。本図で示すように、本方法は、（Ｓ１）複数のユーザーそれぞれに対し、ユーザー属性データを記録するステップ（ユーザー属性入力ステップ）、（Ｓ２）複数のユーザーそれぞれに対し、複数の情報項目データを含む個人情報データの入力を促し、個人情報データを記録するステップ（個人情報入力ステップ）、（Ｓ３）マッチングを希望するユーザーであるマッチング希望ユーザーに対し、希望相手条件データの入力を促し、希望相手条件データを記録するステップ（希望相手情報入力ステップ）、（Ｓ４）希望相手条件データに基づき、検索結果データを表示するステップ（検索結果表示ステップ）、（Ｓ５）検索結果データに表示される該当ユーザーに対し、対話通信要求データを送信するステップ（対話要求ステップ）、（Ｓ６）該当ユーザーに対し、対話可否回答データの入力を促し、入力された対話可否回答データに応じて対話処理又は断り処理を行うステップ（対応ステップ）、を含む。
【００１６】
なお本方法は、限定されるわけではないが、例えばＣＰＵ（中央演算装置）、ハードディスク等の記録媒体、メモリ等の一時的記録媒体、ディスプレイ等の表示装置、キーボードやマウス等の入力装置、これらを接続するバス等の接続配線を備えた情報処理装置、いわゆるコンピュータを用いて行われることが好ましい。より具体的には、上記ステップを実行するためのコンピュータプログラムを上記記録媒体に記録し、これをメモリ等の一時的記録媒体に読み込みＣＰＵによって演算処理させることにより実現することができる。なおコンピュータは、いわゆるノートパソコンやデスクトップパソコンであってもよく、近年普及が進んでいるいわゆるスマートフォンであってもよい。
【００１７】
なお上記の記載から明らかなように、本方法がプログラムを格納して実行される場合において、プログラムは、コンピュータに、上記各ステップを実行させるためのもの、とするものであり、更には、後の詳細に示す方法を行うことができるものである。
【００１８】
なお、本方法は、上記ステップすべてを一つの端末で行うことも可能ではあるが、複数の者のマッチングを行う方法であるため、多数の情報処理端末をインターネット等の電気通信回線を通じて接続し、各端末から入力される各種データを一つ又は複数の集中管理を行うコンピュータ（情報処理装置）にて行うことが好ましい。この場合のイメージを図２に示しておく。本図の例では、多数のユーザー端末Ｍ及び集中管理用の情報処理装置Ｃがインターネット等の電気通信回線Ｎを介して接続されており、多数のユーザー端末Ｍから送信される各種データが情報処理装置に記録及び処理し、その結果をユーザー端末Ｍに表示させる形態を示している。ユーザー端末Ｍの何れかは下記で示すようにマッチング対象となるユーザーである。
【００１９】
以下、本方法の各ステップの詳細について説明する。ただし、ここではまず説明をわかりやすくする観点から、就職活動におけるマッチング方法について説明する。
【００２０】
（就職マッチング）
まず、本方法は、（Ｓ１）複数のユーザーそれぞれに対し、ユーザー属性データを記録するステップ（ユーザー属性入力ステップ）を含む。
【００２１】
本方法において「ユーザー属性」とは、主としてマッチング活動を行う側のユーザー（マッチング希望ユーザー）であるか、又は、主としてマッチングの活動を受ける側のユーザー（マッチング候補ユーザー）であるか、といった属性をいう。このようにユーザー属性を区別することで、それぞれに異なるデータを入力させ、マッチングを行いやすくする。
【００２２】
図３に、本ステップにおいて、ディスプレイ等の表示装置に表示される画面の一例について示しておく。本図の例では、チェックボタンを表示させ、ユーザーに自分がいずれの属性であるのかを入力させ、入力に応じたデータを記録する例を示す。なお本図の例では、マッチング希望ユーザーは「学生」であり、マッチング候補ユーザーは現在企業にいる「ＯＢ又はＯＧ」である。すなわち、就職を希望する学生が、希望する企業に現在勤務しているＯＢ、ＯＧ（ＯＢ等）との対話を求めるマッチング方法の例を示している。なお本方法でのＯＢとは、一学生のＯＢに限らず、企業で働いている人間、すなわち学生から見た社会の先輩を意味する。
【００２３】
なお、本方法の例では、ユーザーに自身の属性について入力させることとしているが、ユーザー属性データを記録することができる限りにおいて限定されず、例えば、ユーザー属性ごとに異なるプログラムをダウンロードさせ、そのプログラム自体にユーザー属性データが含まれることとしてもよい。
【００２４】
次に、本方法は、（Ｓ２）複数のユーザーそれぞれに対し、複数の情報項目データを含む個人情報データの入力を促し、個人情報データを記録するステップ（個人情報入力ステップ）を含む。個人情報データを記録することで、他のユーザーに自身の情報を提示し、マッチングを円滑に行えるようにする。
【００２５】
ここで「複数のユーザー」は上記の通り、マッチング希望ユーザーおよびマッチング候補ユーザーのいずれも含み、マッチング希望ユーザーおよびマッチング候補ユーザーのそれぞれにおいても複数いることを想定している。またこの場合において、マッチング希望ユーザーが開示すべき情報と、マッチング候補ユーザーが開示すべき情報は共通するものもあれば、一方のみが開示しておけばよい情報もある。
【００２６】
また、「情報項目データ」としては、ユーザーそれぞれが保有する情報の項目に関するデータであって、項目の種類それぞれに対応して設けられるものである。より具体的には、情報項目名データ名と、この情報項目名データに含まれる具体的な内容に関するデータ（情報項目内容データ）の組を例示することができる。
【００２７】
上記を含め、上記マッチング希望ユーザーおよびマッチング候補ユーザーがともに開示しておくことが好ましい情報項目データとしては、下記表で示すものを例示することができ、またこの情報の入力画面について図４に示しておく。なお、本図面の例は、上記の通りマッチング希望ユーザー、マッチング候補ユーザーともに共通のものとすることができる。
【表１】
2019046200.tif 000003
【００２８】
なお、マッチング候補ユーザーの場合、どの時間帯であればマッチング希望ユーザーからの要求に応じて対応が可能であるか等の対応可能時間データについて入力を求め、当該データを記録しておくことが好ましい。このようにすることで、マッチング希望ユーザーがコンタクトしやすくなる。この入力は、上記情報を記録させる当初において一度入れておくこととしてもよいが、ユーザーの予定は随時変更されていくものであるため、定期的、例えば数日ごと、毎日又は適宜プログラムを実行させた直後に随時入力させるようにしてもよい。
【００２９】
一方、本例においてマッチング候補ユーザーは、学生を採用する企業側であって、その企業に勤務するＯＢ等であるため、上記ＯＢ等の個人情報だけでなく、企業の情報を入力しておくことが好ましい。この場合における情報項目名データ及び情報項目内容データの組の例を下記表に示しておく。なおこの情報は、マッチング候補ユーザーの一情報項目データとして記録してもよいが、一つの企業において複数のマッチング候補ユーザーを登録させる場合、このマッチング候補ユーザーの情報としてではなく、別のデータ（例えば企業情報データ）として記録し、このデータに複数のマッチング候補ユーザーを関連付けて記録させておくこととしてもよい。この場合の例を図５に示しておく。また、企業情報データを別のデータとして記録する場合、この企業情報データはマッチング候補ユーザー以外の者が入力、記録するようにしてもよい。
【表２】
2019046200.tif 000004
【００３０】
マッチング候補ユーザーが法人の従業員である場合、上記の企業の情報については、共通したデータ（共通企業情報データ）となっていることが好ましい。マッチング候補ユーザーそれぞれが上記企業の情報について入力を行いそれぞれ記録することとすると、ユーザーごとに異なる情報が入力されてしまうこととなるため、マッチング希望ユーザーが一つの企業に対してどの情報が正しいのか迷ってしまう場合がある。そのため、上記企業の情報については、一つの企業当たり一つとし、企業を識別するための企業識別データを付しておくことが好ましく、上記の通り、この企業識別データに上記マッチング候補ユーザーそれぞれを関連付けて記録することが好ましい。なおこの共通企業情報データの入力は、法人の従業員の代表一人が記入することとしてもよいが、法人の従業者であってマッチングとは関係なく共通企業情報データのみを入力するユーザーが入力することとしてもよい。
【００３１】
また本方法は、（Ｓ３）マッチングを希望するユーザーであるマッチング希望ユーザーに対し、希望相手条件データの入力を促し、希望相手条件データを記録するステップ（希望相手情報入力ステップ）を含む。
【００３２】
上記情報項目データを入力させることで、マッチング希望ユーザーおよびマッチング候補ユーザーそれぞれに共通なデータを入力させることができ、情報処理を効率的に行わせることができる。
【００３３】
しかしながら一方で、マッチング希望ユーザーおよびマッチング候補ユーザーそれぞれは立場が異なる。具体的に説明すると本例ではマッチング希望ユーザーは就職したい企業のＯＢ等を探したい側である一方、マッチング候補ユーザーは、採用したい学生を探す側であり、その立場が異なる。そのため、本方法では、まず、マッチング希望ユーザーに対し、希望相手条件データの入力を促し、希望相手条件データを記録するステップ（希望相手情報入力ステップ）を含む。この場合のイメージを図６に示しておく。
【００３４】
またここで「希望相手条件データ」としては、マッチング希望ユーザーがマッチングを希望する相手に求める条件に関するデータであって、条件項目の種類それぞれに対応して設けられるものである。より具体的には、希望相手条件名データと、この希望相手条件項目名データに含まれる具体的な内容に関するデータ（希望相手条件内容データ）の組を例示することができる。
【表３】
2019046200.tif 000005
【００３５】
また、本方法では、上記希望相手条件データの各々に対し、重要度データを付しておく  ことが好ましい。この効果については後述の記載からも明らかであるが、一般に、マッチング希望ユーザーが望む条件全てを満たす企業が存在することが好ましいが、このような条件全てを満たす企業の割合は非常に少なく、場合によっては０件となってしまうことさえありうる。しかしながら、一方で、一つでも条件を緩和することでその件数が大幅に増えるということもあり得る。このように条件を緩和する余地がどの程度あるのかをあらかじめ入れておくことで、結果に基づき更なる判断を行いやすくし、マッチングの可能性が大幅に向上することができる。
【００３６】
本方法において「重要度データ」は、上記の通り、その希望する条件がどの程度強い条件であるかを示すデータであって、数値で表されたデータであってもよく、段階別に分けられたデータであってもよい。例えば数値で表されるデータの場合、０（特に条件設定しないデータ）から１００（絶対に譲ることができない条件であるデータ）の間の数値としてもよく、また、段階別に分けられたデータの場合、例えば「条件設定しない（設定なし）」、「できれば希望（譲歩可）」、「必須」等の段階分けとすることができる。この段階の数についてはもちろん限定されないが、これを用いた詳細な処理については改めて詳述する。
【００３７】
また本方法では、マッチング候補となるユーザーであるマッチング候補ユーザーに対しても、希望相手条件データの入力を促し、希望相手条件データとして記録するステップを含ませてもよい（Ｓ３’）。このデータを記録することで、マッチング希望ユーザーが希望した条件に入っているとしても、マッチング候補ユーザーが希望した条件に合致していない場合（業務遂行に必要な資格要件を有していない等）、マッチング希望ユーザー側にはマッチング候補ユーザーを表示させにくくすることが可能となる。このようにしておくことで、事前にマッチングしない蓋然性が高い対話を避け、互いの機会損失を避けることも可能である。もちろん、マッチング候補ユーザーの希望に関わらずすべて表示させることとしてもよい。
【００３８】
またここで、「希望相手条件データ」としても上記と同様であって、マッチング候補ユーザーがマッチングを希望する相手に求める条件に関するデータであって、条件項目の種類それぞれに対応して設けられるものである。より具体的には、希望相手条件名データと、この希望相手条件項目名データに含まれる具体的な内容に関するデータ（希望相手条件内容データ）の組を例示することができる。これは、上記の記載から明らかであるがユーザー属性によって入力を要求されるものが異なる。この具体的な例を下記表で示すとともに、図７にこの具体的な例について示しておく。
【表４】
2019046200.tif 000006
【００３９】
また本方法は、（Ｓ４）希望相手条件データに基づき、検索結果データを表示するステップ（検索結果表示ステップ）を含む。より具体的には、上記マッチング希望ユーザーが入力した希望相手条件データに基づき、マッチング候補ユーザーを検索し、その結果を表示させる。この検索結果画面の例について図８に示しておく。
【００４０】
本図で示すように、検索結果は、少なくとも、希望する条件全てを満たすマッチング候補ユーザー数に関する情報を含む「検索数データ」を含む（図中では「全条件合致数」と表示）。このようにすることで、自身の希望がどの程度受け入れられているのか否かを確認することができ、もしこの件数が０であれば、自身の希望が受け入れられにくい状況にあると認識することが可能となる。
【００４１】
また、本検索結果データには、上記条件を満たしたマッチング候補ユーザーの情報を表示させることが好ましい。この条件を満たしたマッチング候補ユーザーの情報の画面の例について図９に示しておく。このようにしておくことで、マッチング希望ユーザーは対象となったマッチング候補ユーザーを即時確認することができる。
【００４２】
このマッチング候補ユーザーの確認方法は、特に限定されるわけではないが、図８で示す上記検索結果表示画面において、結果を表示させるボタンなどの表示を行い、これを選択することにより表示させることが好ましい。
【００４３】
また、本検索結果データは、限定されるわけではないが、設定した条件ごとにその条件を満たしたマッチング候補ユーザー数を表示し、更に、条件を緩和した場合の検索結果数を表示しておくことが好ましい。この場合の例については図８に示されている。
【００４４】
上述した通り、検索結果としては、マッチング希望ユーザーの希望条件をすべて満たすマッチング候補ユーザーのみを表示させることが好ましい。しかしながら、この検索結果が０になってしまう場合や、検索結果の件数が少ない場合等は、マッチングの可能性が下がってしまうこととなる。このため、いずれかの条件を譲歩することでマッチングの可能性を高めることが可能となるため、マッチング希望ユーザーに対して一部の条件を譲歩することでこの可能性を認識させることが可能となる。本方法では、上記の結果に加え又は単独で、条件を緩和した場合の検索結果数を表示している。
【００４５】
すなわち、本ステップでは、すべての条件が該当した検索結果のみを表示させることとしてもよいが、すべての条件ではないが、いくつかが該当した場合、その該当した数等の情報を含ませて検索結果を表示させることとしてもよい。例えば、５つの条件全てが該当する検索結果と、５つのうち４つの条件が該当した検索結果（一つ条件を緩和した検索結果）、５つのうち３つの条件が該当した検索結果（二つの条件を緩和した検索結果）、５つのうち２つの条件が該当した検索結果（三つの条件を緩和した検索結果）、５つのうち１つの条件が該当した検索結果（四つの条件を緩和した検索結果）を、それぞれ件数を分けて表示する、色分けして表示する等、表示を変えて表示装置に表示させてもよい。このようにすることで、マッチング希望ユーザーは自身の条件のいずれかを緩和することで該当する件数を増やすことができるのか容易に把握でき、より多くの機会を得ることが可能となる。
【００４６】
また、本ステップでは、上記の他、希望相手条件ごとに検索結果を数値やグラフなどの視覚的に見やすい形で表示し、当該希望相手条件を譲歩した（重要度データを緩和した）場合どの程度増加するのかについて表示することが好ましい。このようにすることで、わざわざ希望する相手の条件を設定する画面に戻ることなく、一目でどの条件を緩和すべきかを判断することが可能となる。この場合の例は上記図８で示しているものである。なお図中のグラフにおいて各条件に対応して表示されるグラフのうち、左の領域（グレー）は全条件が合致した数に対応するものであり、中（白）及び右（黒）の領域は当該条件を緩和した場合に増える希望相手の数を、特に右は、この中でもよりよい条件を提示している企業の数をそれぞれ示している。
【００４７】
本図の例では、例えば、マッチング希望ユーザーは当初企業規模を大企業としており、その結果が２０件程度であった一方、この条件を中小企業も含めた場合、８２社位まで検索結果が増加することを意味する表示となっている。このようにすることで、マッチング希望ユーザーが改めて条件設定をやり直して表示させる手間を省くことができるだけでなく、どの条件をどの程度まで緩和すれば企業数を増やすことができるのかを分かりやすくできる。
【００４８】
また本ステップでは、この本検索結果データを表示させる際に、各条件に対して条件を緩和して改めて検索するためのボタン等の入力手段を表示し、検索を改めて行わせるようにすることが好ましい（図中「譲る」ボタン参照）。通常、検索結果が表示された場合であってその検索結果に十分満足していない場合、改めて検索をやり直す必要がある。このような場合、一般には検索画面に戻り（例えば上記図６）改めて条件設定をやり直さなければならない場合がある。しかしながら、条件設定を別画面にて行う場合、表示されていた検索結果を十分に覚えていることは容易ではなく、別画面に戻った場合どの条件を譲るべきかについて迷ってしまう場合が少なくない。そこで、本ステップでは、検索結果データが表示されている状態において、どの条件を譲るとどの程度増加するのかを明確にした上で改めて検索する（一部の条件のみを緩和する）ことにより、容易に検索結果の満足度を高めることができる。なお、改めて検索を行った後は図８と同様の表示画面により表示を行うことが好ましい。ただしこの場合、譲歩しても好ましい結果が生じていない場合に前の検索に戻るための「戻るボタン」等を付しておくことが好ましい。
【００４９】
また、本ステップでは、図９（下部）で示すように、マッチング候補ユーザー毎に、マッチング希望ユーザーに対し、今まで行った対話の件数に関するデータ、対話を行ったがうまくいかなかった件数に関するデータ、うまくいった件数に関するデータ（コンタクト結果データ）を含ませておくこと、及び、現在対話可能である抽出されたマッチング候補ユーザーの数に関するデータの少なくともいずれかを含ませ、表示させておくことが好ましい。このようにしておくことで、現在までに行ったマッチング希望ユーザーの活動状況、オンライン対話が可能な状況を確認することができ、より効率的なマッチングを可能とする。本図の例では、コンタクトを取ったマッチング希望ユーザーが、面接まで進めた率が左のグレー領域を、通話まで行ったがそこでマッチングが不調に終わった率が真ん中の白領域を、コンタクトを取ろうとしたが通話できなかった率が右の黒領域をそれぞれ示している。もちろんこの表示は件数データであってもよく、百分率のデータであってもよい。
【００５０】
また、本図で示すように、マッチング希望ユーザーがマッチング候補ユーザー（企業又はＯＢ若しくはＯＧ）の情報を閲覧した際、気に入ったマッチング候補ユーザーをお気に入りのリストデータとして登録しておくこととしてもよい。このようにすることで、自己のマッチング活動をより効率的に行うことが可能となる。
【００５１】
また本ステップにおいて、表示させる企業情報については、５０音順に表示させることも可能であるが、マッチング希望ユーザーが入力した希望条件に対しマッチング候補ユーザーのスコアデータを算出し、スコアデータの高い順に表示させていく構成としておくことが好ましい。このようにしておくことで、マッチング希望ユーザーはより良い条件を提示しているマッチング候補ユーザーにアクセスしやすくなる。このスコアデータの算出は、適宜調整可能であり限定されるわけではないが、マッチング希望ユーザーが入力した各条件における各条件スコアデータを算出し、更にこれら各条件スコアデータをまとめて算出し総合スコアデータを算出することが好ましい。このスコアデータ算出には、「重要度データ」を含めておくことが好ましい。例えば重要度が高い条件にはスコアデータに大きく寄与する一方で、重要度が低い条件にはスコアデータに大きく寄与しない又は算入させないということが可能となり、マッチング希望ユーザーがより自己の希望する条件にマッチングする相手を探しやすくなる。
【００５２】
また、本方法では、（Ｓ５）検索結果データに表示される該当ユーザーに対し、対話通信要求データを送信するステップ（対話要求ステップ）を含む。
【００５３】
また、このステップでは、上記図９で示したように、抽出されたマッチング候補ユーザーの画面において、マッチング候補者ユーザーがオンライン状態にあるか否かのライン情報データを含ませておくことが好ましく、この画面上に、対話通信要求データを送信するためのボタン等の表示手段を表示しておくことが好ましい（図中の「通話する」ボタン参照）。なお、この場合において、マッチング候補ユーザーがオンライン状態にある場合は、通話のためのボタンを表示させ、オンライン状態でない場合は、例えばこの通話のためのボタンを薄くして押せなくする又は消しておくことが好ましい。なお、この場合において、マッチング候補ユーザー側に表示される画面の例を図１０に示しておく。
【００５４】
なお、マッチング候補ユーザーが現状において対話可能でない場合においては、どの時間帯であれば通話可能となるのかについて表示させておくことが好ましい。このようにしておくことでマッチング希望ユーザーはいつマッチング候補ユーザーにコンタクトを取るべきかについて容易に把握できるといった利点があり、円滑にマッチングを行うことが可能となる。
【００５５】
また本方法は、（Ｓ６）該当ユーザーに対し、対話可否回答データの入力を促し、入力された対話可否回答データに応じて対話処理又は断り処理を行うステップ（対応ステップ）、を含む。
【００５６】
具体的に、マッチング候補ユーザーは、マッチング希望ユーザーからの対話通信要求データの入力を受けた場合、当該マッチング希望ユーザーが希望した条件に合致しているか否かを判断し、そのユーザーと対話を行うか否かを決定する。マッチング候補ユーザーが対話することを希望した場合は対話処理に入り、対話することを希望しない場合は断り処理を行う。これにより、マッチングの効率性を高めることができる。この例は上記図１０に示したとおりである。
【００５７】
なお、このステップにおいては、表示装置に、マッチング希望ユーザーがマッチング候補ユーザーの要求する条件を満たしているのか否かについてのデータを表示させておくことも好ましい。このようにすることで、対話処理、断り処理のいずれを行うかをより簡便に判断ができる。また、この場合において対話処理、断り処理以外に、後でかけなおすといった保留状態の処理を行わせることとしてもよい。対話可能な状態であってもすぐに対話を行うことができない場合も少なくなく、このような状態としておくことで柔軟な対応が可能となる。
【００５８】
また本方法では、使用するプログラムによっては、直接通話を行うことができない場合がある。そのような場合は、通話する前に事前にテキストデータをメール等でマッチング候補ユーザーに通知し、その後、改めて通話をさせるということも可能である。このような場合、メール等によって送付するテキストデータには、上記マッチング希望ユーザーの情報を含ませておき、電話等の連絡を入れる旨送付し、これを受けたマッチング候補ユーザーは、自己が希望するマッチング希望ユーザーであるか否かを判断し、通話する、お断りする等の判断を行うことができる。
【００５９】
（対話処理）
上記ステップにおいて、対話処理に入った場合、互いに音声等によって挨拶、必要事項の確認を行うことになる。
【００６０】
なお、対話処理において、計時処理を行い、所定の時間経過した場合に対話処理を終了することが好ましい。対話処理の時間を無制限にすると、一のマッチング候補ユーザーに対しマッチング希望ユーザーが多数いる場合、他のマッチング希望ユーザーの時間を確保することが困難になるため、時間を制限することでより多くのマッチングの機会を確保することができるようになる。
【００６１】
また、対話処理が終了した後、マッチング候補ユーザーがマッチング希望ユーザーに対してデータを送信することを促し、送信データを記録し、出力するようにしておくことが好ましい。このようにすることで、うまくマッチングできたと判断できた場合は次回以降の対話につなげることが可能となり、マッチングが難しいと判断した場合は、断ることが可能となる。もちろん、マッチング希望ユーザーが、マッチング候補ユーザーに対して上記送信データを記録し、出力するようにしてもよい。この場合の一例を図１１に示しておく。
【００６２】
また、本ステップにおいては、マッチング候補ユーザーに対し、対話を行ったマッチング希望ユーザーに関するデータ（感触データ）を記録するよう促し、記録しておくことが好ましい。このようにすることで、次に進むか、断るか等の判断を行いやすくするとともに、記録として残し参照することが可能となる。この場合の表示画面の例を図１２に示しておく。
【００６３】
また一方で、本方法では、対話を行ったマッチング希望ユーザーの活動記録データを記録しておくことが好ましい。このようにすることで、マッチング希望ユーザーの現状を客観的な数値として把握することが可能となる。この場合の表示画面の例を図１３に示しておく。本図の例は、マッチング希望ユーザー個人の通話件数及び全体のマッチング希望ユーザーの平均件数、その成功率、企業難易度（通話を試みた場合におけるお断り率、面接に進んだ率等の値）を表示させたものである。
【００６４】
また本方法では、活動記録データの他、上記検索においてお気に入りとしてリスト登録し、登録したマッチング候補ユーザーを表示させること、及び、上記検索において該当したマッチング候補ユーザーをまとめて表示させること、少なくともいずれかを行うことが好ましい。すなわち、マッチング希望ユーザーがマッチング候補ユーザーを登録して閲覧するために頻繁に使用する画面があることが好ましい。この画面のイメージを図１４に示しておく。本図の例では、画面上部では直近の検索において該当した企業数をグラフとしてひとまとめにして表示しており、画面下部ではすでに行った検索の結果お気に入りとしてリスト化したマッチング候補ユーザー数をグラフとしてまとめている。そして、そのそれぞれに対し、うまくマッチングが行われた件数（図中「ＯＫ」）、マッチングできなかった回数（図中「ＮＧ」）、まだマッチングしていないが候補となっている件数（図中「ＷＡＩＴ」）、検索結果全数（図中「ＨＩＴ」）等の数を表示させておくことが好ましい。このようにすることで、上記図８のように条件ごとに表示させるのではなく、全体としてまとめて表示することでよりわかりやすくなるといった利点がある。なおこの場合において上記のグラフにおいて該当している企業を表示させるボタン等の入力手段も備えていることが好ましく、この入力手段を選択し表示要求を行うことで、上記図９で示す画面を表示させていくことがより好ましい。なおこの企業の表示順としては、上記したスコアデータ順であることがより好ましい。
【００６５】
また、上記図１４で示す活動状況を示す画面は、マッチング希望ユーザーのホーム画面であることも好ましい。ユーザーがプログラムを実行して主としてこの画面が表示されるようにすることで、常に自分の状況を確認することができるようになる。なお、この場合、いつでもマッチング候補ユーザーに対する希望条件データを入力できるよう、当該検索実行のための入力手段を設けておくことが好ましい（図中「条件設定」）。そして、これら処理を繰り返し行うことにより、より簡便にマッチングを行うことができる。
【００６６】
また、本方法では、マッチング希望ユーザー側からマッチング候補ユーザーに対し上記図１１で示す方法と同様に、メール送信等ができるようにしておくことも好ましい。このようにすることによって、上記と同様よりマッチングを行いやすくなる。この場合のイメージを図１５に示しておく。
【００６７】
以上、本方法は、より簡便にマッチングを行うことのできるマッチング方法となる。
【００６８】
（お見合いマッチング）
なお上記就職活動マッチングは、人と人を結びつけることができる限りにおいて限定されず、例えば結婚を見据えたお見合いのためのマッチング方法に応用することができる。
【００６９】
お見合いマッチングにおいても、上記と同様の仕組みとすることができるため、上記記載した方法通りである。ただし、お見合いマッチングにおいては、マッチング希望ユーザーとマッチング候補ユーザーは対等な関係である一方、男女の区別がある。そのため、本お見合いマッチングでは、マッチング希望ユーザーを「男性」、マッチング候補ユーザーを「女性」とすることでマッチングを行うこととする。もちろん、マッチング希望ユーザーを「女性」、マッチング候補ユーザーを「男性」としてもよい。
【００７０】
また、本お見合いマッチングでは、情報項目データについては、上記就職マッチングと同様のものを用いることができるが、例えば、下記の例を示すことができる。
【表５】
2019046200.tif 000007
【００７１】
また、希望する相手に求める条件も異なってくるものであり、希望する相手の条件も以下のように異ならせることが好ましい。
【表６】
2019046200.tif 000008
【００７２】
以上、本マッチングプログラム及びマッチング方法は、お見合いマッチングにも用いることができる。
【産業上の利用可能性】
【００７３】
本発明は、マッチングプログラム及びマッチング方法として産業上の利用可能性がある。
【図１】
2019046200.tif 000009
【図２】
2019046200.tif 000010
【図３】
2019046200.tif 000011
【図４】
2019046200.tif 000012
【図５】
2019046200.tif 000013
【図６】
2019046200.tif 000014
【図７】
2019046200.tif 000015
【図８】
2019046200.tif 000016
【図９】
2019046200.tif 000017
【図１０】
2019046200.tif 000018
【図１１】
2019046200.tif 000019
【図１２】
2019046200.tif 000020
【図１３】
2019046200.tif 000021
【図１４】
2019046200.tif 000022
【図１５】
2019046200.tif 000023
【手続補正書】
【提出日】平成30年1月26日(2018.1.26)
【手続補正１】
【補正対象書類名】特許請求の範囲
【補正対象項目名】全文
【補正方法】変更
【補正の内容】
【特許請求の範囲】
【請求項１】
コンピュータに、
複数のユーザーそれぞれに対し、ユーザー属性データを記録するステップ、
複数の前記ユーザーそれぞれに対し、複数の情報項目データを含む個人情報データの入力を促し、前記個人情報データを記録するステップ、
マッチングを希望する前記ユーザーであるマッチング希望ユーザーに対し、複数の希望相手条件データの入力を促し、前記複数の希望相手条件データを記録するステップ、
前記複数の希望相手条件データ全てが該当するマッチング候補ユーザーをオンライン状態にあるか否かのライン情報データを含ませて表示するとともに、前記複数の希望相手条件データ毎に当該希望相手条件データを緩和した検索数結果を表示するステップ、
前記マッチング候補ユーザーに対し、対話通信要求データを送信するステップ、
前記マッチング候補ユーザーに対し、対話可否回答データの入力を促し、入力された対話可否回答データに応じて対話処理又は断り処理を行うステップ、を実行させるためのマッチングプログラム。
【請求項２】
前記対話処理において、計時処理を行い、所定の時間経過した場合に対話処理を終了する、請求項１記載のマッチングプログラム。
【請求項３】
コンピュータによって実行されるマッチング方法であって、
複数のユーザーそれぞれに対し、前記ユーザー属性データを記録するステップ、
複数の前記ユーザーそれぞれに対し、複数の情報項目データを含む個人情報データの入力を促し、前記個人情報データを記録するステップ、
マッチングを希望する前記ユーザーであるマッチング希望ユーザーに対し、複数の希望相手条件データの入力を促し、前記複数の希望相手条件データを記録するステップ、
前記複数の希望相手条件データ全てが該当するマッチング候補ユーザーをオンライン状態にあるか否かのライン情報データを含ませて表示するとともに、前記複数の希望相手条件データ毎に当該希望相手条件データを緩和した検索数結果を表示するステップ、
前記マッチング候補ユーザーに表示される該当ユーザーに対し、対話通信要求データを送信するステップ、
前記該当ユーザー対し、対話可否回答データの入力を促し、入力された対話可否回答データに応じて対話処理又は断り処理を行うステップ、を含むマッチング方法。
【請求項４】
前記対話処理において、計時処理を行い、所定の時間経過した場合に対話処理を終了する、請求項３記載のマッチング方法。
【手続補正書】
【提出日】平成30年6月15日(2018.6.15)
【手続補正１】
【補正対象書類名】特許請求の範囲
【補正対象項目名】全文
【補正方法】変更
【補正の内容】
【特許請求の範囲】
【請求項１】
コンピュータに、
複数のユーザーそれぞれに対し、ユーザー属性データを記録するステップ、
複数の前記ユーザーそれぞれに対し、複数の情報項目データを含む個人情報データの入力を促し、前記個人情報データを記録するステップ、
マッチングを希望する前記ユーザーであるマッチング希望ユーザーに対し、複数の希望相手条件データの入力を促し、前記複数の希望相手条件データを記録するステップ、
前記複数の希望相手条件データ全てが該当するマッチング候補ユーザーをオンライン状態にあるか否かのライン情報データを含ませて表示するとともに、
前記複数の希望相手条件データ毎に、前記希望相手条件データ全てが該当するマッチング候補ユーザーの検索数結果、当該希望相手条件データを緩和した場合に増えるマッチング候補ユーザーの検索数結果、及び、入力した前記希望相手条件データよりよい条件のマッチング候補ユーザーの検索数結果を表示するステップ、
前記マッチング候補ユーザーに対し、対話通信要求データを送信するステップ、
前記マッチング候補ユーザーに対し、対話可否回答データの入力を促し、入力された対話可否回答データに応じて対話処理又は断り処理を行うステップ、を実行させるためのマッチングプログラム。
【請求項２】
前記複数の希望相手条件データ毎に、前記希望相手条件データ全てが該当するマッチング候補ユーザーの検索数結果、当該希望相手条件データを緩和した場合に増えるマッチング候補ユーザーの検索数結果、及び、入力した前記希望相手条件データよりよい条件のマッチング候補ユーザーの検索数結果を表示するステップは、色分けしたグラフで表示を行う請求項１記載のマッチングプログラム。
【請求項３】
前記対話処理において、計時処理を行い、所定の時間経過した場合に対話処理を終了する、請求項１記載のマッチングプログラム。
【請求項４】
コンピュータによって実行されるマッチング方法であって、
複数のユーザーそれぞれに対し、前記ユーザー属性データを記録するステップ、
複数の前記ユーザーそれぞれに対し、複数の情報項目データを含む個人情報データの入力を促し、前記個人情報データを記録するステップ、
マッチングを希望する前記ユーザーであるマッチング希望ユーザーに対し、複数の希望相手条件データの入力を促し、前記複数の希望相手条件データを記録するステップ、
前記複数の希望相手条件データ全てが該当するマッチング候補ユーザーをオンライン状態にあるか否かのライン情報データを含ませて表示するとともに、
前記複数の希望相手条件データ毎に、前記希望相手条件データ全てが該当するマッチング候補ユーザーの検索数結果、当該希望相手条件データを緩和した場合に増えるマッチング候補ユーザーの検索数結果、及び、入力した前記希望相手条件データよりよい条件のマッチング候補ユーザーの検索数結果を表示するステップ、
前記マッチング候補ユーザーに表示される該当ユーザーに対し、対話通信要求データを送信するステップ、
前記該当ユーザー対し、対話可否回答データの入力を促し、入力された対話可否回答データに応じて対話処理又は断り処理を行うステップ、を含むマッチング方法。
【請求項５】
前記複数の希望相手条件データ毎に、前記希望相手条件データ全てが該当するマッチング候補ユーザーの検索数結果、当該希望相手条件データを緩和した場合に増えるマッチング候補ユーザーの検索数結果、及び、入力した前記希望相手条件データよりよい条件のマッチング候補ユーザーの検索数結果を表示するステップは、色分けしたグラフで表示を行う請求項４記載のマッチング方法。
【請求項６】
前記対話処理において、計時処理を行い、所定の時間経過した場合に対話処理を終了する、請求項４記載のマッチング方法。